(57)【要約】    【課題】玄関子機の呼出ボタンを操作した人物の映像を室内親機のメモリに静止画像として記憶するか否かについて、人物の特徴をもとに判断し、必要性が低いと認識された人物の静止画像は記憶せずにメモリの有効利用を図る。    【解決手段】玄関子機１の呼出ボタン１０を操作した人物の映像でありカメラ１１にて撮像された映像をもとに、その人物特徴データを室内親機２の抽出回路２４を介して抽出し、抽出された人物特徴データおよび第１のメモリ２２に予め登録して記憶されている人物特徴データを親機ＣＰＵ２５にて比較解析を行い、その結果、親機ＣＰＵが予め登録してある人物と一致しないと認識した場合には、玄関子機のカメラにて撮像された映像であり第２のメモリ２６に記憶させた静止画像を圧縮ＣＰＵ２３を介して圧縮して第１のメモリに記憶する。一方、親機ＣＰＵが登録してある人物と一致すると認識した場合には、玄関子機のカメラにて撮像された映像の人物名を呼出操作を行った人物として第１のメモリに記憶する。  【選択図】図２
2006101196.tif 000002
【特許請求の範囲】
【請求項１】
玄関子機（１）の呼出ボタン（１０）が操作されると前記玄関子機のカメラ（１１）にて撮像された映像が室内親機（２）に伝送されるインターホンシステムであって、
前記映像の比較解析の対象となる人物特徴データを予め登録して記憶するための第１のメモリ（２２）と、前記映像を圧縮するための圧縮ＣＰＵ（２３）と、前記映像から人物特徴データを抽出するための抽出回路（２４）と、前記第１のメモリから読み出された人物特徴データおよび前記抽出回路を介して抽出された人物特徴データを比較解析するための親機ＣＰＵ（２５）と、前記親機ＣＰＵが前記予め登録してある人物とは一致しないと認識した場合に前記圧縮ＣＰＵを介して圧縮された静止画像を前記第１のメモリに記録するための第２のメモリ（２６）とを有することを特徴とするインターホンシステム。
【請求項２】
前記親機ＣＰＵが前記予め登録してある人物と一致すると認識した場合、前記認識した人物名を前記第１のメモリに記録することを特徴とする請求項１記載のインターホンシステム。
【請求項３】
前記第１のメモリと前記第２のメモリとを一体化したことを特徴とする請求項１または請求項２記載のインターホンシステム。
【請求項４】
前記圧縮ＣＰＵと前記親機ＣＰＵとを一体化したことを特徴とする請求項１乃至請求項３のうち何れか１項記載のインターホンシステム。
【発明の詳細な説明】
【技術分野】
【０００１】
本発明は、玄関にて呼出操作を行った人物を認識可能なインターホンシステムに係り、特に、この人物の静止画像を記憶するメモリの有効利用が図れるインターホンシステムに関する。
【背景技術】
【０００２】
従来から、この種のインターホンシステムとして、呼出ボタンの操作を行った来訪者の画像（映像）を確実に録画できるようにし、当該来訪者の識別（認識）を容易としたテレビドアホン装置が開示されている（例えば、特許文献１を参照。）。
【０００３】
【特許文献１】特開２００１−９４９７７号公報（段落番号００１２〜００２１、図１）
【発明の開示】
【発明が解決しようとする課題】
【０００４】
しかしながら、従来例のテレビドアホン装置では、呼出ボタンの操作を行った全ての来訪者の映像を静止画像として録画するため、居住者自身や当該居住者が予め知り得ている家族や来訪者等の必要性が低いとされる人物の静止画像まで録画することになり、メモリの有効利用が図れない難点があった。
【０００５】
本発明は、前述の難点を解消するためになされたもので、玄関子機の呼出ボタンを操作した人物の映像を室内親機のメモリに静止画像として記憶するか否かについて、人物の特徴をもとに判断し、必要性が低いと認識された人物の静止画像は記憶せずにメモリの有効利用を図るインターホンシステムを提供することを目的としている。
【課題を解決するための手段】
【０００６】
前述の目的を達成するため、本発明のインターホンシステムは、玄関子機の呼出ボタンが操作されると玄関子機のカメラにて撮像された映像が室内親機に伝送される当該システムであって、映像の比較解析の対象となる人物特徴データを予め登録して記憶するための第１のメモリと、映像を圧縮するための圧縮ＣＰＵと、映像から人物特徴データを抽出するための抽出回路と、第１のメモリから読み出された人物特徴データおよび抽出回路を介して抽出された人物特徴データを比較解析するための親機ＣＰＵと、親機ＣＰＵが予め登録してある人物とは一致しないと認識した場合に圧縮ＣＰＵを介して圧縮された静止画像を第１のメモリに記録するための第２のメモリとを有するものである。
【０００７】
また、本発明のインターホンシステムは、親機ＣＰＵが予め登録してある人物と一致すると認識した場合、認識した人物名を第１のメモリに記録するものである。
【０００８】
また、本発明のインターホンシステムは、第１のメモリと第２のメモリとを一体化したものである。
【０００９】
また、本発明のインターホンシステムは、圧縮ＣＰＵと親機ＣＰＵとを一体化したものである。
【発明の効果】
【００１０】
本発明のインターホンシステムによれば、玄関子機の呼出ボタンを操作した人物の映像でありカメラにて撮像された映像をもとに、その人物特徴データを室内親機の抽出回路を介して抽出し、抽出された人物特徴データおよび第１のメモリに予め登録して記憶されている人物特徴データを親機ＣＰＵにて比較解析を行い、その結果、親機ＣＰＵが予め登録してある人物と一致しないと認識した場合、例えば、呼出操作を行った人物が居住者にとって好ましくない悪徳業者やストーカー等の不審者や初めての来訪者であった場合には、玄関子機のカメラにて撮像された映像であり第２のメモリに記憶させた静止画像を圧縮ＣＰＵを介して圧縮して第１のメモリに記憶する。一方、親機ＣＰＵが登録してある人物と一致すると認識した場合、例えば、呼出操作を行った人物が居住者自身や当該居住者が予め知り得ている家族や来訪者等であった場合には、玄関子機のカメラにて撮像された映像の人物名を呼出操作を行った人物として第１のメモリに記憶することにより、必要性が低いと認識される人物の静止画像は記憶せずに第１のメモリの有効利用を図ることができる。
【００１１】
また、本発明のインターホンシステムによれば、室内親機の第１のメモリと第２のメモリとを一体化することができ、回路構成の簡素化が図られる。
【００１２】
また、本発明のインターホンシステムによれば、室内親機の圧縮ＣＰＵと親機ＣＰＵとを一体化することができ、回路構成の簡素化が図られる。
【発明を実施するための最良の形態】
【００１３】
以下、本発明のインターホンシステムを適用した最良の実施の形態例について、図面を参照して説明する。
【００１４】
図１は、本発明の実施例によるインターホンシステムの構成を示すシステム説明図である。
【００１５】
図１のシステム説明図に示すインターホンシステムは、玄関（住戸玄関）に設置されており、玄関に居る人物が住戸内に在室中の居住者を呼び出すために操作する呼出ボタン１０、呼出操作を行った人物や玄関先の周囲環境の映像を撮像するためのＣＣＤ（Charge Coupled Devices）、ＣＭＯＳ（Complementary Metal Oxide Semiconductor）等のカメラ１１、呼出操作を行った人物が居住者との間で通話を成立させるための音声（送話音声、受話音声）を入出力するマイク、スピーカ等の通話部１２を有する玄関子機１と、住戸内に設置されており、伝送路Ｌ1を介して接続された玄関子機１からの呼び出しが報知、例えば、呼出音や音声メッセージの放音をもとに報知されるとともに、居住者が呼出操作を行った人物との間で通話を成立させるための音声（送話音声、受話音声）を入出力するスピーカ、ハンドセット等の呼出報知／通話部２０、玄関子機１のカメラ１１にて撮像された映像を出画するためのＬＣＤ（Liquid Crystal Display）、有機ＥＬ（Electro Luminescence）ディスプレイ等のモニタ２１を有する室内親機２とで構成されている。
【００１６】
図２は、本発明の実施例によるインターホンシステムの具体的な構成を示すブロック図である。
【００１７】
図２のブロック図において、玄関子機１には、図１のシステム説明図に示す呼出ボタン１０、カメラ１１、通話部１２と、当該玄関子機の構成各部／回路をそれぞれ制御するための子機ＣＰＵ１３と、カメラ１１、通話部１２、子機ＣＰＵ１３および伝送路Ｌ1の間の信号伝送ラインをそれぞれ形成するためのインターフェース（以下、子機Ｉ／Ｆという。）１４とが備えられている。
【００１８】
また、室内親機２には、図１のシステム説明図に示す呼出報知／通話部２０、モニタ２１と、玄関子機１のカメラ１１にて撮像された映像の比較解析の対象となる顔データ等の人物特徴データを予め登録して記憶するためのフラッシュＲＯＭ（Read Only Memory）等の第１のメモリ２２と、玄関子機１のカメラ１１にて撮像された映像を圧縮するためのＪＰＥＧ（Joint Photographic Expert Group） ＩＣ等の圧縮ＣＰＵ２３と、玄関子機１のカメラ１１にて撮像された映像から顔データ等の人物特徴データを抽出するための抽出回路２４と、第１のメモリ２２から読み出された人物特徴データおよび抽出回路２４を介して抽出された人物特徴データを比較解析するとともに、当該室内親機の構成各部／回路をそれぞれ制御するための親機ＣＰＵ２５と、親機ＣＰＵ２５にて行われる比較解析の結果として、予め登録してある人物とは一致しないと認識した場合に圧縮ＣＰＵ２３を介して圧縮された静止画像を第１のメモリ２２に記録させる、一方、予め登録してある人物と一致した場合にはその人物名を第１のメモリ２２に記憶させるためのＳＤＲＡＭ（Synchronous Dynamic Random Access Memory）等の第２のメモリ２６と、呼出報知／通話部２０、親機ＣＰＵ２５および伝送路Ｌ1の間の信号伝送ラインをそれぞれ形成するためのインターフェース（以下、親機Ｉ／Ｆという。）２７とが備えられている。
【００１９】
このように構成された本発明の実施例によるインターホンシステムにおいて、以下、具体的な動作について説明する。
【００２０】
図１のシステム説明図において、玄関に居る人物が住戸内に在室中の居住者を呼び出すために玄関子機１の呼出ボタン１０を操作すると、この呼出操作を図２のブロック図に示す当該玄関子機の子機ＣＰＵ１３が検出し、検出した旨の呼出信号を生成する。また、玄関子機１の子機ＣＰＵ１３にて生成された呼出信号は、子機Ｉ／Ｆ１４、伝送路Ｌ1、室内親機２の親機Ｉ／Ｆ２７を介して親機ＣＰＵ２５に伝送される。
【００２１】
図２のブロック図において、室内親機２の親機ＣＰＵ２５は、玄関子機１の子機ＣＰＵ１３からの呼出信号をもとに玄関に居る人物からの呼び出しがあることを検出し、その旨の呼出音や音声メッセージを呼出報知／通話部２０をなすスピーカから放音させるとともに、モニタ２１を駆動させ、さらに、玄関子機１のカメラ１１を駆動させるための制御信号を生成する。この制御信号は、親機ＣＰＵ２５から親機Ｉ／Ｆ２７、伝送路Ｌ1、玄関子機１の子機Ｉ／Ｆ１４を介して子機ＣＰＵ１３に伝送される。
【００２２】
玄関子機１の子機ＣＰＵ１３は、室内親機２の親機ＣＰＵ２５からの制御信号を検出すると、カメラ１１を駆動して呼出操作を行った人物や玄関先の周囲環境の映像の撮像を開始させる。このカメラ１１にて撮像された映像は、適宜、信号処理された映像信号として、前述の呼出信号と同一の経路を介して室内親機２の親機ＣＰＵ２５へと伝送される。
【００２３】
室内親機２の親機ＣＰＵ２５は、玄関子機１のカメラ１１からの映像信号を検出すると、この映像信号を信号処理して得られた映像、すなわち、呼出操作を行った人物や玄関先の周囲環境の映像をモニタ２１に出画させるとともに、圧縮ＣＰＵ２３を制御して映像信号をキャプチャーさせ、キャプチャーされた静止画像を第２のメモリ２６に記憶する。
【００２４】
また、室内親機２の親機ＣＰＵ２５は、抽出回路２４を制御して第２のメモリ２６に記憶された静止画像から顔データ等の人物特徴データを抽出させ、この抽出された人物特徴データおよび第１のメモリ２２に予め登録して記憶されている顔データ等の人物特徴データを比較解析する。
【００２５】
ここで、玄関子機１の第１のメモリ２２に予め登録して記憶されている人物特徴データおよび前述の抽出回路２４を介して抽出された人物特徴データが一致しない、例えば、呼出操作を行った人物が居住者にとって好ましくない悪徳業者やストーカー等の不審者や初めての来訪者であると認識した親機ＣＰＵ２５は、圧縮ＣＰＵ２３を制御して第２のメモリ２６から読み出した静止画像を圧縮させ、圧縮された静止画像を第１のメモリ２２に記憶することができる。
【００２６】
一方、玄関子機１の第１のメモリ２２に予め登録して記憶されている人物特徴データおよび前述の抽出回路２４を介して抽出された人物特徴データが一致する、例えば、呼出操作を行った人物が居住者自身や当該居住者が予め知り得ている家族や来訪者等であると認識した親機ＣＰＵ２５は、第２のメモリ２６に記憶させた静止画像を削除し、当該認識が一致した人物特徴データに割り当てられて第１のメモリ２２に予め記憶された人物名を呼出操作を行った人物として当該第１のメモリに記憶することにより、必要性が低いと認識された人物の静止画像は第１のメモリ２２に記憶せず、第１のメモリ２２の有効利用を図ることができる。
【００２７】
また、玄関子機１の呼出報知／通話部２０をなすスピーカから放音された呼出音や音声メッセージ、モニタ２１に出画された映像をもとに、玄関子機１からの呼び出しを呼出操作を行った人物の識別とともに確認した居住者が、呼出報知／通話部２０のハンドセットを取り上げるような応答操作を行うと、この操作を検出した親機ＣＰＵ２３および玄関子機１の子機ＣＰＵ１３の制御（詳述せず）により、居住者が使用する呼出報知／通話部２０のハンドセットと、親機Ｉ／Ｆ２７、伝送路Ｌ1、玄関子機１の子機Ｉ／Ｆ１４を介して呼出操作を行った人物が使用する通話部１２のマイクおよびスピーカとの間の通話路が形成され、形成された通話路を介して音声信号を送受信させることにより通話が成立し、特に、居住者にとっては、呼出操作を行った人物の映像を確認しながら通話を成立させることができる。
【００２８】
なお、本発明の実施例によるインターホンシステムによれば、室内親機２に備えられる第１のメモリ２２と第２のメモリ２６とを別個の当該メモリとして設けたが、図３（ａ）のブロック図に示すように一体化することもでき、回路構成の簡素化が図られる。
【００２９】
また、本発明の実施例によるインターホンシステムによれば、室内親機２に備えられる圧縮ＣＰＵ２３と親機ＣＰＵ２５とを別個の当該ＣＰＵとして設けたが、図３（ｂ）のブロック図に示すように一体化することもでき、回路構成の簡素化が図られる。
【図面の簡単な説明】
【００３０】
【図１】図１は、本発明の実施例によるインターホンシステムの構成を示すシステム説明図である。
【図２】図２は、本発明の実施例によるインターホンシステムの具体的な構成を示すブロック図である。
【図３】図３（ａ）、（ｂ）は、本発明の実施例によるインターホンシステムにおいて、室内親機の別の態様をそれぞれ示すブロック図である。
【符号の説明】
【００３１】
１……玄関子機
１０……呼出ボタン
１１……カメラ
２……室内親機
２２……第１のメモリ
２３……圧縮ＣＰＵ
２４……抽出回路
２５……親機ＣＰＵ
２６……第２のメモリ
【図１】
2006101196.tif 000003
【図２】
2006101196.tif 000004
【図３】
2006101196.tif 000005